(57)【要約】【課題】屋内配線を伝播するテレビ信号とＬＡＮ信号とを分割し、屋内配線を利用した屋内ＬＡＮシステムを提供する。【解決手段】第１の周波数帯域に含まれるテレビ信号と第２の周波数帯域に含まれるＬＡＮ信号とを複数の室内に備えられた共通アンテナ端子へ屋内配線を介して分配もしくは送配信する分配装置と、前記複数の室内に備えられた、前記共通アンテナ端子より前記テレビ信号と前記ＬＡＮ信号を入力し、前記テレビ信号をテレビ信号出力部に前記ＬＡＮ信号をＬＡＮ信号出力部に出力するテレビ・ＬＡＮ信号分割装置と、前記テレビ・ＬＡＮ信号分割装置で分割した前記テレビ信号または前記ＬＡＮ信号を処理して得られた映像信号を表示する表示装置とを有する屋内ＬＡＮシステムを提供する。【選択図】図４
2008160451.tif 000002
【特許請求の範囲】
【請求項１】
複数の室内に備えられた共通アンテナ端子から第１の周波数帯域に含まれるテレビ信号と第２の周波数帯域に含まれるＬＡＮ（Local  Area  Network）信号とを入力する入力部と、
前記テレビ信号と前記ＬＡＮ信号とを前記第１および第２の周波数帯域に基づいて分割する分割部と、
前記テレビ信号をテレビ受像機へ向けて出力する第１の出力部と、
前記ＬＡＮ信号を電子機器に向けて出力する第２の出力部とを備えたことを特徴とするテレビ・ＬＡＮ信号分割装置。
【請求項２】
前記第１の周波数帯域は、４７０ＭＨｚ以上の周波数帯域であり、
前記第２の周波数帯域は、４７０ＭＨｚ未満の未使用の周波数帯域であることを特徴とする請求項１に記載のテレビ・ＬＡＮ信号分割装置。
【請求項３】
前記第２の周波数帯域は、前記ＬＡＮ信号の信号伝送速度を高速化するに適した帯域を有することを特徴とする請求項２に記載のテレビ・ＬＡＮ信号分割装置。
【請求項４】
前記第１の出力部は、前記テレビ信号を地上デジタルテレビ信号と衛星テレビ信号とに分波する分波部を含むことを特徴とする請求項１に記載のテレビ・ＬＡＮ信号分割装置。
【請求項５】
前記第２の出力部は、前記ＬＡＮ信号を波形整形する波形整形部を含むことを特徴とする請求項１に記載のテレビ・ＬＡＮ信号分割装置。
【請求項６】
第１の周波数帯域に含まれるテレビ信号と第２の周波数帯域に含まれるＬＡＮ信号とを複数の室内に備えられた共通アンテナ端子へ屋内配線を介して分配もしくは送配信する分配装置と、
前記複数の室内に備えられた共通アンテナ端子より前記テレビ信号と前記ＬＡＮ信号を入力し、前記テレビ信号をテレビ信号出力部に前記ＬＡＮ信号をＬＡＮ信号出力部に出力するテレビ・ＬＡＮ信号分割装置と、
前記テレビ・ＬＡＮ信号分割装置で分割した前記テレビ信号および前記ＬＡＮ信号の少なくとも１つの信号を処理して得られた映像信号を表示する表示装置とを有することを特徴とする屋内ＬＡＮシステム。
【請求項７】
複数の室内に備えられた共通アンテナ端子から第１の周波数帯域に含まれるテレビ信号と第２の周波数帯域に含まれるＬＡＮ信号とを入力する入力ステップと、
前記テレビ信号と前記ＬＡＮ信号とを前記第１および第２の周波数帯域に基づいて分割する分割ステップと、
前記テレビ信号をテレビ受像機へ向けて出力する第１の出力ステップと、
前記ＬＡＮ信号を電子機器に向けて出力する第２の出力ステップとを備えたことを特徴とするテレビ・ＬＡＮ信号分割方法。
【発明の詳細な説明】
【技術分野】
【０００１】
本発明は、テレビ・ＬＡＮ信号分割装置、屋内ＬＡＮシステムおよびテレビ・ＬＡＮ信号分割方法に関し、特にテレビ放送波受信用の屋内配線を用いた屋内内ＬＡＮに関する。
【背景技術】
【０００２】
従来の技術として、屋内の各部屋に配線されたテレビ放送波受信用同軸回線とテレビ受像機とを活用した屋内インターネットシステムがある（例えば、特許文献１参照）。
【０００３】
この屋内インターネットシステムによると、屋内の各部屋に配線されたテレビ放送波受信用同軸回線にＷｅｂ端末を接続するだけで、公衆回線もしくはインターネット用のネットワーク回線を経由し、インターネットに接続されたＷｅｂサーバを介して、インターネットに接続することができる。この屋内インターネットシステムによると、テレビ信号とＷｅｂ端末から出力されたＬＡＮ信号とは、双方向分配装置によって重畳され、この重畳信号が各部屋で利用できるように分配される。
【特許文献１】特開２０００−１３３８２号公報
【発明の開示】
【発明が解決しようとする課題】
【０００４】
しかし、従来の屋内インターネットシステムによると、ＬＡＮ信号の帯域が１０ＭＨｚ程度と狭いため、信号伝送速度を高速化するには限界があり、また各部屋に分配された重畳信号をＷｅｂ端末とテレビ受像機に入力するためには、専用のコネクタが必要になる等の煩わしさがあった。
【０００５】
従って、本発明の目的は、屋内配線を伝播するテレビ信号とＬＡＮ信号とを分割するテレビ・ＬＡＮ信号分割装置、屋内ＬＡＮシステムおよびテレビ・ＬＡＮ信号分割方法を提供することにある。
【課題を解決するための手段】
【０００６】
本発明は上記目的を達成するため、複数の室内に備えられた共通アンテナ端子から第１の周波数帯域に含まれるテレビ信号と第２の周波数帯域に含まれるＬＡＮ信号とを入力する入力部と、前記テレビ信号と前記ＬＡＮ信号とを前記第１および第２の周波数帯域に基づいて分割する分割部と、前記テレビ信号をテレビ受像機へ向けて出力する第１の出力部と、前記ＬＡＮ信号を電子機器に向けて出力する第２の出力部とを備えたことを特徴とするテレビ・ＬＡＮ信号分割装置を提供することができる。
【０００７】
この構成によれば、テレビ信号とＬＡＮ信号を分割して出力することができる。
【０００８】
本発明は上記目的を達成するため、第１の周波数帯域に含まれるテレビ信号と第２の周波数帯域に含まれるＬＡＮ信号とを複数の室内に備えられた共通アンテナ端子へ屋内配線を介して分配もしくは送配信する分配装置と、前記複数の室内に備えられた共通アンテナ端子より前記テレビ信号と前記ＬＡＮ信号を入力し、前記テレビ信号をテレビ信号出力部に前記ＬＡＮ信号をＬＡＮ信号出力部に出力するテレビ・ＬＡＮ信号分割装置と、前記テレビ・ＬＡＮ信号分割装置で分割した前記テレビ信号および前記ＬＡＮ信号の少なくとも１つの信号を処理して得られた映像信号を表示する表示装置とを有することを特徴とする屋内ＬＡＮシステムを提供することができる。
【０００９】
この構成によれば、屋内配線を用いた屋内ＬＡＮシステムを構築することができる。
【００１０】
本発明は上記目的を達成するため、複数の室内に備えられた共通アンテナ端子から第１の周波数帯域に含まれるテレビ信号と第２の周波数帯域に含まれるＬＡＮ信号とを入力する入力ステップと、前記テレビ信号と前記ＬＡＮ信号とを前記第１および第２の周波数帯域に基づいて分割する分割ステップと、前記テレビ信号をテレビ受像機へ向けて出力する第１の出力ステップと、前記ＬＡＮ信号を電子機器に向けて出力する第２の出力ステップとを備えたことを特徴とするテレビ・ＬＡＮ信号分割方法を提供することができる。
【００１１】
この方法によれば、テレビ信号とＬＡＮ信号を分割して出力することができる。
【発明の効果】
【００１２】
本発明によれば、屋内配線を伝播するテレビ信号とＬＡＮ信号とを分割し、屋内配線を利用した屋内ＬＡＮシステムを構築することができる。
【発明を実施するための最良の形態】
【００１３】
以下に本発明のテレビ・ＬＡＮ信号分割装置、屋内ＬＡＮシステムおよびテレビ・ＬＡＮ信号分割方法の実施の形態を、図面を参照しながら詳細に説明する。
【００１４】
［実施の形態］
（ホームネットワークの構成）
図１は、本発明の実施の形態に係るホームネットワークの概略図の一例である。屋内ＬＡＮシステムとしてのホームネットワークについて表している。
【００１５】
ホームネットワーク１は、地上デジタルテレビ信号を受信する地上デジタル用アンテナ２と、衛星テレビ信号を受信する衛星用アンテナ３と、地上デジタル用アンテナ２と衛星用アンテナ３とで受信した地上デジタルテレビ信号と衛星テレビ信号とを増幅するブースタ４と、ハブの機能を有し、更に、ブースタ４で増幅したテレビ信号を各部屋に分配するハブ機能付き分配装置５と、ハブ機能付き分配装置５から各部屋に配線され、テレビ信号等が伝播する屋内配線としての同軸ケーブル６ａと、屋外にある公衆回線から屋内に配線される屋外配線６ｂと、各部屋に配置され、同軸ケーブル６ａと接続するアンテナ端子７ａ〜７ｃと、ＬＡＮ端子を備え、インターネット接続が可能なテレビ８と、ＬＡＮ端子を備え、テレビ信号とＬＡＮ信号を分割する機能を有するテレビ９と、ＬＡＮ端子を備え、インターネット接続可能なテレビ１０と、ＬＡＮ端子を備え、インターネット接続可能なＰＣ１１と、屋外配線６ｂからのアナログ信号またはデジタル信号をＬＡＮ信号に変換し、ＰＣ１１等からのＬＡＮ信号をアナログ信号またはデジタル信号に変換する端末装置１２と、端末装置１２からのＬＡＮ信号を分配するルータ１３と、アンテナ端子７ａ〜７ｃを介して入力したテレビ信号とＬＡＮ信号とを分割する分割装置１４および１６と、地上デジタルテレビ信号と衛星テレビ信号とを分波する第１の出力部としての分波装置１５および１７とを有する。
【００１６】
（ハブ機能付き分配装置の構成）
図２は、本発明の実施の形態に係るハブ機能付き分配装置のブロック図の一例である。Ｓｂ、Ｓｄ、ＳｇおよびＳｈはＬＡＮ信号を、Ｓ３は地上デジタルテレビ信号と衛星テレビ信号とが混合したテレビ信号を表している。
【００１７】
ハブ機能付き分配装置５は、各部に電力を供給する電源１８と、同軸ケーブル６ａと接続する複数の分配装置側接続端子５０と、テレビ信号を分配して出力するＲＦ（Ｒａｄｉｏ  Ｆｒｅｑｕｅｎｃｙ）分配部５１と、入力したＬＡＮ信号を分配して出力する双方向分配部５２と、入力した各種信号の４７０ＭＨｚ未満の周波数帯を透過させる４７０ＭＨｚＬＰＦ（Ｌｏｗ  Ｐａｓｓ  Ｆｉｌｔｅｒ）部５３ａ〜５３ｃと、入力した各種信号の４７０ＭＨｚ以上の周波数帯を透過させる４７０ＭＨｚＨＰＦ（Ｈｉｇｈ  Ｐａｓｓ  Ｆｉｌｔｅｒ）部５４ａ〜５４ｃと、入出力する各種信号を逆方向に流れないように管理する双方向ミキサ部５５ａ〜５５ｃとを有する。
【００１８】
電源１８は、双方向分配部５２、４７０ＭＨｚＬＰＦ部５３ａ〜５３ｃ、４７０ＭＨｚＨＰＦ部５４ａ〜５４ｃおよび双方向ミキサ部５５ａ〜５５ｃに電力を供給するとともに、双方向ミキサ部５５ａ〜５５ｃより同軸ケーブル６ａ（屋内配線）を介して以降の分割装置１４、１６等にも電力を供給する。また、電源１８は、ＢＳアンテナの１ＳＴコンバータ用ＬＮＢ（Ｌｏｗ  Ｎｏｉｓｅ  Ｂｌｏｃｋ）を用いることも可能であるため、複数の室内に備えられたテレビ等より供給されるＬＮＢを共通のアンテナ端子および屋内配線を介して、この電源として用いることが可能である。
【００１９】
（分割装置の構成）
図３は、本発明の実施の形態に係る分割装置のブロック図の一例であり、図１の第３室における分割装置１６に関する各種信号の流れを表している。なお、第１室に設置された分割装置１４も同様の構成および機能を有する。
【００２０】
分割装置１６は、アンテナ端子７ｃとアンテナケーブルによって接続され、ハブ機能付き分配装置５で分配された各種信号が入出力する第１入出力部１４０と、入力した各種信号の４７０ＭＨｚ未満の周波数帯を透過させる４７０ＭＨｚＬＰＦ部１４１ａと、入力した各種信号の４７０ＭＨｚ以上の周波数帯を透過させる４７０ＭＨｚＨＰＦ部１４１ｂと、４７０ＭＨｚＬＰＦ部１４１ａを透過したＬＡＮ信号の波形を整形する第２の出力部としての波形整形部１４２と、各種装置のＬＡＮ端子に接続され、ＬＡＮ信号が入出力する第２入出力部１４３と、分波装置１７にテレビ信号を出力する出力部１４４とを有する。なお、テレビが分波装置１７を内蔵しているとき、分割装置１６は、テレビのアンテナ端子に接続される。
【００２１】
（実施の形態の動作）
本発明の実施の形態におけるホームネットワーク１の動作を図１から図５を参照しつつ、詳細に説明する。
【００２２】
図４は、本発明の実施の形態に係るホームネットワークの信号の流れを表した概略図の一例である。
【００２３】
（テレビ信号の流れ）
地上デジタル用アンテナ２で受信された地上デジタル放送波は、テレビ信号Ｓ１としてブースタ側接続端子４０介してブースタ４に入力する。また、衛星用アンテナ３で受信された衛星放送波は、テレビ信号Ｓ２としてブースタ側接続端子４０介してブースタ４に入力する。
【００２４】
ブースタ４に入力したテレビ信号Ｓ１およびＳ２は、ブースタ４で増幅されテレビ信号Ｓ３として、ハブ機能付き分配装置５に入力する。
【００２５】
ハブ機能付き分配装置５に入力したテレビ信号Ｓ３は、図２に示すように、ＲＦ分配部５１において分配され、それぞれが４７０ＭＨｚＨＰＦ部５４ａ〜５４ｃに入力する。
【００２６】
テレビ信号Ｓ３は、４７０ＭＨｚＨＰＦ部５４ａ〜５４ｃによってフィルタされた後、双方向ミキサ部５５ａ〜５５ｃに入力し、分配装置側接続端子５０から出力される。
【００２７】
テレビ信号Ｓ３は、分配装置側接続端子５０から出力された後、屋内にテレビ用に配線された屋内配線としての同軸ケーブル６ａを伝播し、各室に設置されたアンテナ端子７ａ〜７ｃに接続された分割装置１４、１６、および分割装置と分波装置とを内蔵したテレビ９に入力する。
【００２８】
ここで、屋内にテレビ視聴用に配線された同軸ケーブル６ａは、既存のテレビ視聴用に配線された同軸ケーブル６ａで良く、また、アンテナ端子７ａ〜７ｃは、一般的なテレビのアンテナ端子と接続可能な既存の端子で良いので、特別なコネクタ等は必要としない。
【００２９】
分割装置１４、１６に入力したテレビ信号Ｓ３は、図３の分割装置１６を例に取ると、第１入出力部１４０に入力し、４７０ＭＨｚＬＰＦ部１４１ａは透過できないので、４７０ＭＨｚＨＰＦ部１４１ｂを透過し、出力部１４４から分波装置１７に出力される。
【００３０】
分波装置１７に入力したテレビ信号Ｓ３は、周波数帯域の違いに基づいて分割され、テレビ信号Ｓ１およびＳ２としてテレビ１０のアンテナ端子に入力し、テレビ１０内部で処理し、得られた映像信号はテレビ番組として、テレビ１０の表示画面に表示される。
【００３１】
（ＬＡＮ信号の流れ）
図５は、本発明の実施の形態に係る周波数帯域に関する概略図の一例であり、横軸はＭＨｚである。
【００３２】
一例として、インターネット接続会社から送信された信号Ｓａは、屋外配線６ｂを伝播し、端末装置１２に入力する。
【００３３】
端末装置１２は、信号ＳａをＬＡＮ通信用のデジタル信号に変換するとき、信号Ｓａは、４７０ＭＨｚ未満の周波数帯域のＬＡＮ信号Ｓｂに変換される。
【００３４】
これは、地上デジタル放送が開始されると、以前使用されていたＶＨＦ（Ｖｅｒｙ  Ｈｉｇｈ  Ｆｒｅｑｕｅｎｃｙ）帯域（４７０ＭＨｚ未満の周波数帯域）が空き領域となるので、この空き領域を利用することを表している。
【００３５】
一例として、ＦＭ放送を受信しないとき、空き領域はゼロから４７０ＭＨｚ未満までの周波数帯域が利用できる。よって、信号の上り（インターネット接続会社に向かう方）をゼロから２００ＭＨｚまでの帯域とし、信号の下り（インターネット接続可能な端末に向かう方）を２３０ＭＨｚから４３０ＭＨｚまでの帯域を使用するとき、符号化をしない場合は通信速度が１００Ｍｂｐｓ（Ｍｅｇａ  Ｂｉｔ  Ｐｅｒ  Ｓｅｃｏｎｄ）、ＱＰＳＫ（Ｑｕａｄｒａｔｕｒｅ  Ｐｈａｓｅ  Ｓｈｉｆｔ  Ｋｅｙｉｎｇ）を使用した符号化を行う場合は、１０Ｇ（Ｇｉｇａ）ｂｐｓ以上の高速な通信速度が得られる。
【００３６】
これは、一例として、ＤＯＣＳＩＳ２．０（Ｄａｔａ  Ｏｖｅｒ  Ｃａｂｌｅ  Ｓｅｒｖｉｃｅ  Ｉｎｔｅｒｆａｃｅ  Ｓｐｅｃｉｆｉｃａｔｉｏｎｓ）を用いたＣＡＴＶ（Ｃａｂｌｅ  Ｔｅｌｅｖｉｓｉｏｎ）のＬＡＮシステムの通信速度（上り３０Ｍｂｐｓ、下り４２Ｍｂｐｓ）に比べても高速である。ＣＡＴＶが使用する帯域は、上りで６．４ＭＨｚ、下りで６ＭＨｚ程度の帯域しか確保できないためである。
【００３７】
信号Ｓａは、端末装置１２によってＬＡＮ信号Ｓｂに変換され、ルータ１３に入力し、ルータ１３から分割装置１４およびテレビ８のＬＡＮ端子に分配される。
【００３８】
ここで、ＬＡＮ信号Ｓｂは、分割装置１４に入力したが、ハブ機能付き分配装置５に直接入力しても良いし、これに限定されない。
【００３９】
一例として、テレビ８のＬＡＮ端子に入力したＬＡＮ信号Ｓｂは、テレビ８の内部で処理された後、テレビ８の表示画面に表示された番組とともに表示される。例えば、テレビ８の内部で処理されたＬＡＮ信号Ｓｂは、ユーザ参加型の番組において、「Ａ」か「Ｂ」かを選択できるアイコンとして表示画面に表示される。ユーザが、「Ａ」をリモコン等を用いて選択したとき、その選択信号が、テレビ８の内部で処理され、ＬＡＮ信号Ｓｃとしてルータ１３に入力し、端末装置１２で信号Ｓｉに変換され、屋外配線６ｂを介してインターネット接続会社から番組を放送した放送局に送信され、「Ａ」が選択されたと処理される。
【００４０】
また、分割装置１４に入力したＬＡＮ信号Ｓｂは、第１室のアンテナ端子７ａから同軸ケーブル６ａを伝播し、ハブ機能付き分配装置５に入力する。
【００４１】
ハブ機能付き分配装置５に入力したＬＡＮ信号Ｓｂは、図２に示す、双方向ミキサ部５５ａに入力し、４７０ＭＨｚＬＰＦ部５３ａで必要周波数帯域に抽出された後、双方向分配部５２によって分配され、４７０ＭＨｚＬＰＦ部５３ｂ、５３ｃでノイズ等を除去した後、双方向ミキサ部５５ｂ、５５ｃから出力される。
【００４２】
ハブ機能付き分配装置５で分配されたＬＡＮ信号Ｓｂは、屋内に配線された同軸ケーブル６ａを伝播し、第２室のアンテナ端子７ｂからテレビ９のアンテナ端子に入力する。
【００４３】
テレビ９は、分割装置と分波装置を内蔵しているので、第２室のアンテナ端子７ｂとテレビ９のアンテナ端子を接続するだけで、テレビ番組の視聴とインターネットを利用することができる。
【００４４】
ユーザが、テレビ９を操作し、テレビ９の内部で生成されたＬＡＮ信号Ｓｄは、第２室のアンテナ端子７ｂから同軸ケーブル６ａを介してハブ機能付き分配装置５に入力し、ＬＡＮ信号Ｓｈとしてハブ機能付き分配装置５からアンテナ端子７ａを介して第１室の分割装置１４に入力し、分割装置１４からルータ１３に入力する。
【００４５】
同様に、ハブ機能付き分配装置５で分配されたＬＡＮ信号Ｓｂは、屋内に配線された同軸ケーブル６ａを伝播し、第３室のアンテナ端子７ｃから分割装置１６に入力する。
【００４６】
分割装置１６に入力したＬＡＮ信号Ｓｂは、図３に示すように、第１入出力部１４０から４７０ＭＨｚＬＰＦ部１４１ａにおいてノイズ等を除去した後、波形整形部１４２で波形を整え、第２入出力部１４３からテレビ１０とＰＣ１０のＬＡＮ端子に出力される。
【００４７】
第２入出力部１４３から出力されたＬＡＮ信号Ｓｂは、テレビ１０およびＰＣ１１のＬＡＮ端子に入力する。
【００４８】
テレビ１０およびＰＣ１１のＬＡＮ端子に入力したＬＡＮ信号Ｓｂは、テレビ１０およびＰＣ１１の内部で処理された後、一例として、テレビ１０の場合、テレビ１０の表示画面に表示された番組とともに表示される。ユーザが、リモコン等を用いて選択した選択信号は、テレビ１０の内部で処理され、ＬＡＮ信号Ｓｅとして出力され、分割装置１６に入力する。
【００４９】
ＰＣ１１に入力し、内部で処理されたＬＡＮ信号Ｓｂは、一例として、ＰＣ１１の表示画面にインターネット閲覧画面として表示され、ユーザが、インターネット閲覧画面上のリンクアイコンを選択したとき、選択信号としてＬＡＮ信号Ｓｆは、出力される。
【００５０】
出力されたＬＡＮ信号ＳｅとＳｆは、第２入出力部１４３に入力し、ＬＡＮ信号Ｓｇとして波形整形部１４２で波形を整形された後、４７０ＭＨｚＬＰＦ部１４１ａでノイズ等を除去し、第１入出力部１４０から出力される。
【００５１】
第１入出力部１４０から出力されたＬＡＮ信号Ｓｇは、第３室のアンテナ端子７ｃから同軸ケーブル６ａを伝播し、ハブ機能付き分配装置５に入力する。
【００５２】
ハブ機能付き分配装置５に入力したＬＡＮ信号Ｓｇは、双方向ミキサ部５５ｃを介して４７０ＭＨｚＬＰＦ部５３ｃでノイズ等を除去した後、双方向分配部５２から４７０ＭＨｚＬＰＦ部５３ａを介して双方向ミキサ部５５ａに入力する。
【００５３】
ここで、双方向ミキサ部５５ｃは、ＬＡＮ信号Ｓｇが、４７０ＭＨｚＨＰＦ部５４ｃに漏洩し、ＲＦ分配部５１、ブースタ４を経由してアンテナから外部に洩れることを防ぐような機能的な構成になっている。
【００５４】
双方向ミキサ部５５ａに入力したＬＡＮ信号Ｓｇは、同軸ケーブル６ａを伝播し、第１室のアンテナ端子７ａから分割装置１４に入力し、ルータ１３を介して端末装置１２に入力し、端末装置１２によって信号Ｓｉに変換され、屋外配線６ｂを伝播し、インターネット接続会社に送信される。
【００５５】
（実施の形態の効果）
上記した実施の形態によると、屋内配線を伝播するテレビ信号とＬＡＮ信号とを分割し、屋内配線を利用した屋内ＬＡＮシステムを構築することができる。また、通信速度が高速で、高品位な屋内ＬＡＮシステムを構築することができる。
【００５６】
なお、本発明は、上記した実施の形態に限定されず、本発明の技術思想を逸脱あるいは変更しない範囲内で種々の変形が可能である。
【図面の簡単な説明】
【００５７】
【図１】本発明の実施の形態に係るホームネットワークの概略図の一例である。
【図２】本発明の実施の形態に係るハブ機能付き分配装置のブロック図の一例である。
【図３】本発明の実施の形態に係る分割装置のブロック図の一例である。
【図４】本発明の実施の形態に係るホームネットワークの信号の流れを表した概略図の一例である。
【図５】本発明の実施の形態に係る周波数帯域に関する概略図の一例である。
【符号の説明】
【００５８】
１・・・ホームネットワーク、２・・・地上デジタル用アンテナ、３・・・衛星用アンテナ、４・・・ブースタ、５・・・ハブ機能付き分配装置、６ａ・・・同軸ケーブル、６ｂ・・・屋外配線、７ａ〜ｃ・・・アンテナ端子、８・・・テレビ、９・・・テレビ、１０・・・テレビ、１１・・・ＰＣ、１２・・・端末装置、１３・・・ルータ、１４・・・分割装置、１５・・・分波装置、１６・・・分割装置、１７・・・分波装置、１８・・・電源、４０・・・ブースタ側接続端子、５０・・・分配装置側接続端子、５１・・・ＲＦ分配部、５２・・・双方向分配部、５３ａ〜ｃ・・・４７０ＭＨｚＬＰＦ部、５４ａ〜ｃ・・・４７０ＭＨｚＨＰＦ部、５５ａ〜ｃ・・・双方向ミキサ部、１４０・・・第１入出力部、１４１ａ・・・４７０ＭＨｚＬＰＦ部、１４１ｂ・・・４７０ＭＨｚＨＰＦ部、１４２・・・波形整形部、１４３・・・第２入出力部、１４４・・・出力部、Ｓ１・・・テレビ信号、Ｓ２・・・テレビ信号、Ｓ３・・・テレビ信号、Ｓａ・・・信号、Ｓｂ・・・ＬＡＮ信号、Ｓｃ・・・ＬＡＮ信号、Ｓｅ・・・ＬＡＮ信号、Ｓｆ・・・ＬＡＮ信号、Ｓｇ・・・ＬＡＮ信号、Ｓｉ・・・信号
【図１】
2008160451.tif 000003
【図２】
2008160451.tif 000004
【図３】
2008160451.tif 000005
【図４】
2008160451.tif 000006
【図５】
2008160451.tif 000007